(57)【要約】【課題】外観の意匠性を高めることのできる物置ユニットを提供すること。【解決手段】天壁（１０）および一対の側壁（２０）を有し、前面および後面が開放されている囲い枠体（２）と、囲い枠体（２）内で、一対の側壁（２０）のうち、少なくとも一方から離れて位置する物置室（３）とを備え、物置室（３）は、物を収容する閉鎖空間を形成するように周囲四方を取り囲む壁を有し、前面側に位置する壁が開閉可能な扉（４０）を含み、囲い枠体（２）の少なくとも一方の側壁（２０）と物置室（３）との間に、前面および後面が開放された、物を収容する開放空間（５）を形成している。【選択図】図１
2017031554.tif 000002
【特許請求の範囲】
【請求項１】
天壁および一対の側壁を有し、前面および後面が開放されている囲い枠体と、
前記囲い枠体内で、前記一対の側壁のうち、少なくとも一方から離れて位置する物置室とを備え、
前記物置室は、物を収容する閉鎖空間を形成するように周囲四方を取り囲む壁を有し、前記前面側に位置する壁が開閉可能な扉を含み、
前記囲い枠体の少なくとも一方の側壁と前記物置室との間に、前記前面および前記後面が開放された、物を収容する開放空間を形成している、物置ユニット。
【請求項２】
前記物置室は、区画された複数の個室を有し、
前記個室は、前記前面側に位置する壁が開閉可能な扉を含む、請求項１に記載の物置ユニット。
【請求項３】
前記物置室は、前記囲い枠体の他方の前記側壁から離れて位置し、
前記囲い枠体の前記他方の側壁と前記物置室との間に、前記前面および前記後面が開放された、物を収容する開放空間を形成している、請求項１または２に記載の物置ユニット。
【請求項４】
前記物置室は、上方が開放されており、
前記天壁の下端と前記物置の上端との間には、隙間が設けられている、請求項１〜３のいずれかに記載の物置ユニット。
【請求項５】
前記側壁の前後方向の長さは、前記天壁の前後方向の長さよりも短い、請求項１〜４のいずれかに記載の物置ユニット。
【請求項６】
前記扉は、取っ手を有し、
前記取っ手は、前記扉の上端部および下端部の近傍まで延在している、請求項１〜５のいずれかに記載の物置ユニット。
【請求項７】
前記物置室および前記開放空間には、自転車取付具が設けられる、請求項１〜６のいずれかに記載の物置ユニット。
【請求項８】
前記閉鎖空間の下方は、開放されている、請求項１〜７のいずれかに記載の物置ユニット。
【発明の詳細な説明】
【技術分野】
【０００１】
本発明は、自転車置場等に用いられる物置ユニットに関する。
【背景技術】
【０００２】
屋外に配置される物置ユニットとして、たとえば、自転車置場がある。自転車置場に用いられる簡易屋根としては、特開２００７−３１５０７５号公報（特許文献１）がある。特許文献１には、地表に一列に立設された支柱の上端に、湾曲状に形成された屋根が設けられる簡易屋根が開示されている。
【０００３】
一方、近年において、電動付き自転車やスポーツサイクルなど、高価な自転車が普及している。このような自転車を収納する自転車ロッカーとして、特開２０１４−１７３２７２号公報（特許文献２）がある。特許文献２には、矩形形状の板状部材を組み合わせて、開閉可能なドアを設けた直方体形状の保管庫を複数組み合わせた自転車ロッカーが開示されている。
【先行技術文献】
【特許文献】
【０００４】
【特許文献１】特開２００７−３１５０７５号公報
【特許文献２】特開２０１４−１７３２７２号公報
【発明の概要】
【発明が解決しようとする課題】
【０００５】
特許文献１の簡易屋根を用いた自転車置場は、自転車を並べる際に自転車同士が接触して自転車が傷いたり、盗難の危険性があり、高価な自転車の利用を考慮したものではない。特許文献２の自転車ロッカーは、高価な自転車を配置することができるものの、その外観の意匠性を考慮したものではない。
【０００６】
本発明は、上記のような課題を解決するためになされたものであって、その目的は、外観の意匠性を高めることのできる物置ユニットを提供することである。
【課題を解決するための手段】
【０００７】
この目的のため、天壁および一対の側壁を有し、前面および後面が開放されている囲い枠体と、囲い枠体内で、一対の側壁のうち、少なくとも一方から離れて位置する物置室とを備え、物置室は、物を収容する閉鎖空間を形成するように周囲四方を取り囲む壁を有し、前面側に位置する壁が開閉可能な扉を含み、囲い枠体の少なくとも一方の側壁と物置室との間に、前面および後面が開放された、物を収容する開放空間を形成している。
【０００８】
好ましくは、物置室は、区画された複数の個室を有し、個室は、前面側に位置する壁が開閉可能な扉を含む。
【０００９】
好ましくは、物置室は、囲い枠体の他方の側壁から離れて位置し、囲い枠体の他方の側壁と物置室との間に、前面および後面が開放された、物を収容する開放空間を形成している。
【００１０】
好ましくは、物置室は、上方が開放されており、天壁の下端と物置の上端との間には、隙間が設けられている。
【００１１】
好ましくは、側壁の前後方向の長さは、天壁の前後方向の長さよりも短い。
【００１２】
好ましくは、扉は、取っ手を有し、取っ手は、扉の上端部および下端部の近傍まで延在している。
【００１３】
好ましくは、物置室および開放空間には、自転車取付具が設けられる。
【００１４】
好ましくは、閉鎖空間の下方は、開放されている。
【発明の効果】
【００１５】
本発明によれば、外観の意匠性を高めることのできる物置ユニットを提供することができる。
【図面の簡単な説明】
【００１６】
【図１】本発明の実施の形態に係る物置ユニットの斜視図である。
【図２】本発明の実施の形態に係る物置ユニットの正面図である。
【図３】本発明の実施の形態に係る物置ユニットの側面図である。
【図４】図２のＩＶ−ＩＶ線に沿う縦断面図である。
【図５】図２のＶ−Ｖ線に沿う横断面図である。
【図６】図３のＶＩ−ＶＩ線に沿う縦断面図である。
【図７】図６のＡの部分を拡大して示す断面図である。
【図８】図６のＢの部分を拡大して示す断面図である。
【図９】本発明の実施の形態に係る物置ユニットに自転車取付具を配置した状態を示す模式図である。
【図１０】物置室の内部を模式的に示す図である。
【発明を実施するための形態】
【００１７】
本発明の実施の形態について図面を参照しながら詳細に説明する。なお、図中同一または相当部分には同一符号を付してその説明は繰り返さない。
【００１８】
図１、２を参照して、本実施の形態に係る物置ユニット１について説明する。図１は、本発明の実施の形態に係る物置ユニット１の斜視図であり、図２は、本発明の実施の形態に係る物置ユニット１の正面図である。本実施の形態では、図１において矢印Ａ１で示す方向を前後方向といい、矢印Ａ２で示す高さを上下方向という。図２において、矢印Ａ３で示す方向を左右方向という。
【００１９】
物置ユニット１は、屋外に配置されるものであり、たとえば、自転車置場や自動二輪車置場に用いられ、集合住宅や商業施設に設けられる。
【００２０】
物置ユニット１は、天壁１０および一対の側壁２０を有し、前面および後面が開放されている囲い枠体２と、囲い枠体２内で、一対の側壁２０から離れて位置する物置室３とを備える。囲い枠体２の側壁２０と物置室３との間には、前面および後面が開放された開放空間５が形成されている。前面とは、後述する物置室３の扉４０が配置される側であり、後面とは、後述する物置室３の後面壁３３（図５）が配置される側である。開放空間５とは、少なくとも、上方が天壁１０により覆われ、側方が囲い枠体２の側壁２０と物置室３とで覆われる空間をいい、たとえば、自転車や自動二輪車などの物を収容することができる空間である。
【００２１】
＜囲い枠体について＞
図１〜７を参照して、囲い枠体２について説明する。図３は、本発明の実施の形態に係る物置ユニット１の側面図であり、図４は、図２のＩＶ−ＩＶ線に沿う縦断面図であり、図５は、図２のＶ−Ｖ線に沿う横断面図であり、図６は、図３のＶＩ−ＶＩ線に沿う縦断面図であり、図７は、図６のＡの部分を拡大して示す断面図である。図３において、矢印Ａ１で示す方向を前後方向という。
【００２２】
まず、囲い枠体２を構成する天壁１０について説明する。図３，４を特に参照して、天壁１０は、折板屋根の屋根材１１と、屋根材１１の下方に配置する底部１２と、屋根材１１の周囲四方を取り囲む矩形形状の外枠１３とを含む。屋根材１１は、前方から後方に向かって下降して傾斜している。底部１２は、外枠１３の下端部を塞ぐように配置され、天壁１０の下方に位置する。天壁１０の後方には、樋１８が設けられている。これにより、屋根材１１は後方に向かって下降して傾斜しているため、屋根材１１の後方に集まった雨水を樋１８により、効率よく排出することができる。
【００２３】
次に、囲い枠体２を構成する側壁２０について説明する。図１，２を参照して、側壁２０は、天壁１０の左右方向の両端側にそれぞれ設けられている。具体的には、側壁２０は、天壁１０の外枠１３の外方に取り付けられている。側壁２０の上端は、天壁１０の上端と同一の高さに配置される。図３に示すように、側壁２０の前後方向の長さＬ１は、天壁１０の前後方向の長さＬ２よりも短いことが望ましい。側壁２０の前後方向の長さが、天壁１０の前後方向の長さより短く形成されているため、軽やかでスタイリッシュな印象を演出することができ、意匠性が向上する。
【００２４】
側壁２０は、天壁１０に対して垂直に配置される。天壁１０と側壁２０とは、側面視Ｔ字形状に配置される。これにより、天壁１０と側壁２０とを直線的に連結することができ、意匠性を向上させることができる。なお、天壁１０を淡色、たとえば、白色に着色し、側壁２０を濃色、たとえば、黒色に着色することで、天壁１０を軽量感のある印象にすることができる。
【００２５】
図５を特に参照して、側壁２０は、一対の柱部２１と側壁パネル２２から形成される。側壁パネル２２は、横断面視コの字状であり、側壁パネル２２の両端部には、上下方向に延びる柱部２１が設けられている。なお、側壁パネル２２には、たとえば、パンチ穴などの模様が設けられいてもよい。この場合、側壁パネル２２の模様を、たとえば、集合住宅の外壁、集合住宅のゴミ入れの模様と同一にすることで、集合住宅との一体性を持たせることができる。
【００２６】
側壁２０は、天壁１０の左右両端に取り付けられる。具体的には、図７を参照して、天壁１０の左右両端の底部１２には、天壁１０の前後方向に沿って延びる横材１４が取り付けられている。図３に示すように、横材１４の前端部１４１および後端部１４２は、鋭角であり、中央に向かって傾斜している。つまり、支持部材１４は、下方から上方に向かって横断面積が大きくなる形態である。側壁２０には、側壁２０から左右方向に延びる支持部材１５が取り付けられている。支持部材１５は、横材１４の形状だけ切り欠かれている切欠き部１６を含む。支持部材１５の切欠き部１６を横材１４の下方に配置させて、支持部材１５の切欠き部１６と横材１４と天壁１０の底部１２とをボルト１７で固定する。これにより、天壁１０は、側壁２０により左右両端から支持される。
【００２７】
＜物置室について＞
図１〜６，８を参照して、物置室３について説明する。図８は、図６のＢの部分を拡大して示す断面図である。
【００２８】
図５を特に参照して、物置室３は、閉鎖空間を形成するように周囲四方が取り囲まれている。つまり、物置室３は、右側面壁３１と、左側面壁３２と、右側面壁３１および左側面壁３２の後端を連結する後面壁３３と、右側面壁３１および左側面壁３２の前面側に位置する扉４０とを有する。
【００２９】
物置室３の閉鎖空間は、複数設けられていてもよく、たとえば、４つの個室３０を有する。個室３０は、前面側にそれぞれ扉４０が配置されている。この場合、右側面壁３１と左側面壁３２との間には、３つの仕切り壁５０が設けられている。
【００３０】
図１〜３をさらに参照して、物置室３は、上方が開放されていて、天壁１０の底部１２と物置室３の上端との間には隙間７０が設けられている。物置室３の上方は、天壁１０が位置する。このため、個室３０内において、雨を防ぐことができつつ、日中は隙間７０から光を取り入れることが可能である。また、隙間７０が設けられていることにより、外観的な意匠性として、軽快な印象を演出することができる。
【００３１】
さらに、物置室３は、下方が開放されていて、地面と物置室３の下端との間にも隙間７１が設けられている。物置室３は、段差なく地面上に配置されるため、スムーズに自転車を出し入れすることができる。
【００３２】
物置室３は、一対の側壁２０から離れて位置する。具体的には、物置室３は、天壁１０の下方で、側壁２０，２０の左右方向中央部に配置されていてもよい。この場合、開放空間５は、物置室３の右側面壁３１と側壁２０との間、および、物置室３の左側面壁３２と側壁２０との間に配置される。開放空間５は、たとえば、自転車や自動二輪車などの物を収容する空間である。
【００３３】
図５，６を参照して、物置室３の右側面壁３１は、物置室３の右側方を取り囲む。右側面壁３１は、たとえば、２本の縦枠３４と、縦枠３４と直角に交わる４本の横枠３５と、右側面パネル３６とを含む。縦枠３４と横枠３５とは、たとえば、長尺矩形形状であり、中空形状であってもよい。右側面パネル３６は、縦枠３４および横枠３５上を覆い、横枠３５に取り付けられる。右側面パネル３６は、凹凸形状の模様を有する。左側面壁３２は、右側面壁３１と同一であるため、同一の符号を付して、説明を省略する。
【００３４】
物置室３の後面壁３３は、物置室３の後方を取り囲む。後面壁３３は、側面壁３１，３２の後端に配置される２本の縦枠３４と、縦枠３４に直角に交わる４本の横枠３８と、後面パネル３９とを含む。横枠３８は、たとえば、長尺矩形形状であり、中空形状であってもよい。後面パネル３９は、凹凸形状の模様を有する。後面パネル３９は、縦枠３４と横枠３８上を覆う。
【００３５】
図４〜６を参照して、物置室３の仕切り壁５０は、仕切り縦枠３７と、扉縦枠５２と、中間縦枠５１と、仕切り横材５４と、仕切りパネル５３とを含む。仕切り縦枠３７は、側面壁３１，３２の後端に配置される縦枠３４の間に３本設けられる。扉縦枠５２は、側面壁３１，３２の前端に配置される縦枠３４の間に３本設けられる。中間縦枠５１は、仕切り縦枠３７と扉縦枠５２との間にそれぞれ設けられる。仕切り横材５４は、縦枠３７，５１，５２の上端と下端にそれぞれ２本設けられる。１対の仕切りパネル５３は、縦枠３７，５１，５２上を覆う。縦枠３７，５１，５２は、たとえば、長尺矩形形状であり、中空形状であってもよい。仕切りパネル５３は、凹凸形状の模様を有する。仕切り壁５０は、物置室３を均等に４分割するものであってもよい。
【００３６】
天壁１０の底部１２には、天壁１０を下方から支持する連結部材６０が取り付けられている。図６，８を参照して、連結部材６０について説明する。
【００３７】
連結部材６０は、たとえば、掛止部６１と、連結部６２と、保持部６３とを含む。掛止部６１は、断面視コの字形状であり、天壁１０の前後方向に延在し、右側面壁３１の縦枠３４の上端を挟持する。掛止部６１は、縦枠３４の上端にボルト６４で取り付けられる。
【００３８】
保持部６３は、断面視矩形形状であり、天壁１０の前後方向に延在し、天壁１０の底部１２にナット６５で取り付けられる。図４に示すように、保持部６３の前端６３１および後端６３２は、鋭角であり、中央に向かって傾斜している。つまり、保持部６３は、下方から上方に向かって横断面積が大きくなる形態である。これにより、保持部６３は、左右方向の厚みがあるにも関わらず、物置ユニット１の外観上の意匠として、軽快な印象を与えることができる。連結部材６０については、左側面壁３２および仕切り壁５０上にも配置されるが、すべて同一の形状であるため、同一の符号を付して、説明を省略する。
【００３９】
連結部６２は、上下方向に延び、保持部６３の前端６３１と後端６３２近傍にそれぞれ１対設けられ、掛止部６１および保持部６３を連結している。さらに、連結部６２は、平板状であり、掛止部６１および保持部６３の左右方向の幅よりも細く設けられている。このような構造により、個室３０の上方の隙間７０が個室毎に区切られずに連なるため、軽快な印象を与えることができる。
【００４０】
次に、扉４０について説明する。図１，２を参照して、扉４０の左端には、取っ手４１が設けられる。取っ手４１は、たとえば、断面視Ｌ字形状であり、扉４０の上端部および下端部近傍まで延在している。これにより、背の小さい子供でも取っ手４１に手が届くため、子供でも物置室３を利用することができる。また、取っ手４１が上下方向に延在しているため、物置室のような印象を与えず、機能的でスタイリッシュな印象を与えることができる。扉４０には、鍵が設けられており、たとえば、鍵は、暗証番号を入力するためのテンキー錠４２であってもよい。
【００４１】
図９を参照して、本実施の形態に係る物置ユニット１を自転車置場として利用した場合について説明する。図９は、物置室３および開放空間５に自転車取付具９０を配置した状態を示す模式正面図である。理解容易のため、扉４０の図示は省略している。
【００４２】
自転車取付具９０は、物置室３の４つの個室３０にそれぞれ１つずつ設けられる。さらに、開放空間５には、自転車取付具９０が、たとえば、４つずつ設けられていてもよい。自転車取付具９０は、一般的に使用されているものでもよく、自転車を立て掛けて収納することができるものであってもよい。
【００４３】
上述のように、個室３０の扉４０には鍵を掛けることができるため、物置室３の個室３０は、高価な自転車や電動付自転車などを収納したい利用者用に用いることができる。この場合、物置室３の個室３０は、有料スペースとしてもよい。一方、開放空間５は、一般的な自転車などを収納したい利用者が自由に用いるようにしてもよい。この場合、開放空間５は、無料のスペースとしてもよい。このようにすることで、同一の物置ユニット１であっても、差別化を図ることで、様々な利用者のニーズを満たすことができる。
【００４４】
図１０は、物置室３の個室３０の内部を説明する図である。図１０を参照して、個室３０の内部について説明する。
【００４５】
個室３０の中央には、自転車１００が配置される。後面壁３３には、棚１０１が設けられている。仕切り壁５０には、取付具１０２が設けられ、フック１０３が配置されている。これにより、個室３０を自転車置場だけではなく、物置室として利用することができる。なお、個室３０は、自転車取付具９０を設けずに、単なる物置室として利用してもよい。
【００４６】
なお、上記実施の形態では、物置室３は、一対の側壁２０から離れて位置することが望ましいとしたが、これに限定されない。物置室３は、囲い枠体２内で、一対の側壁２０のうち、少なくとも一方から離れて位置していればよい。具体的には、物置室３は、一方の側壁２０に接し、開放空間５が他方の側壁２０と物置室３との間に一箇所設けられてもよい。
【００４７】
また、上記実施の形態では、物置室３は、４つの個室３０を設けるとして説明したが、物置室３は、区画された２以上の個室を設ければよい。
【００４８】
また、上記実施の形態では、個室３０の大きさは、均等に設けられるとしたが、これに限定されない。個室３０の大きさが異なるものが組み合わさっていてもよく、たとえば、物置室３の個室３０は、自動二輪車置場、自転車置場および物置などが適宜組み合わさったものであってもよい。
【００４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図され
る。
【符号の説明】
【００５０】
１  物置ユニット、２  囲い枠体、３  物置室、５  開放空間、１０  天壁、１１  屋根材、１２  底部、１３  外枠、１４  横材、１５  支持部材、１６  切欠き部、１７  ボルト、１８  樋、２０  側壁、２１  柱部、２２  側壁パネル、３０  個室、３１  右側面壁、３２  左側面壁、３３  後面壁、３４  縦枠、３５  横材、３６  右側面パネル、３７  仕切り縦枠、３８  横枠、３９  後面パネル、４０  扉、４１  取っ手、４２  テンキー錠、５０  仕切り壁、５１  中間縦枠、５２  扉縦枠、５３  仕切りパネル、６０  連結部材、６１  掛止部、６２  連結部、６３  保持部、６４  ボルト、６５  ナット、７０，７１  隙間、９０  自転車取付具、１００  自転車、１０１  棚、１０２  取付具、１０３  フック、６３１  前端、６３２  後端。
【図１】
2017031554.tif 000003
【図２】
2017031554.tif 000004
【図３】
2017031554.tif 000005
【図４】
2017031554.tif 000006
【図５】
2017031554.tif 000007
【図６】
2017031554.tif 000008
【図７】
2017031554.tif 000009
【図８】
2017031554.tif 000010
【図９】
2017031554.tif 000011
【図１０】
2017031554.tif 000012